(57)【要約】  廃棄物を包含するために使用される様々な可撓性バッグアセンブリを収容できる容器が記載される。内部の収容構造は、使い捨てバッグアセンブリおよびカセットを含む、様々なタイプのバッグアセンブリを収容し、固定するよう設計される。
2018504334.tif 000002
【特許請求の範囲】
【請求項１】
廃棄物処理ユニットを受け入れるよう構成された廃棄物室を有するハウジングと、弾性開口部を有する回転部材とを備えた容器であって、
前記廃棄物室は、フレームに装着された可撓性材料のバッグを受け入れるよう適合された第１の固定支持部材と、詰められた可撓性材料のチューブを中に有するカセットを確実に受け入れるよう適合された、第２の固定支持部材とを備え、ここで、前記フレームは前記ハウジングに解放可能に装着され、前記ハウジングに対して回転して固定されるものであり、
前記弾性開口部を通して可撓性材料の通路が提供され、使用に際して、前記回転部材は前記通路を閉じて封止するために前記可撓性材料の一部を捩るものである、容器。
【請求項２】
使い捨てバッグの前記フレームの周縁に特に位置付けられたタブを収容するため、前記第１の固定支持部材上に凹部をさらに備える、請求項１に記載の容器。
【請求項３】
前記使い捨てバッグの前記フレームの周縁上の前記タブを固定するため、前記凹部内に位置付けられたタブクリップをさらに備える、請求項２に記載の容器。
【請求項４】
前記カセット全体を内側で受け入れられるような深さを有する受入れ用凹みをさらに備える、請求項１に記載の容器。
【請求項５】
前記廃棄物室の基部に位置付けられた、突出鍵部をさらに備える、請求項１に記載の容器。
【請求項６】
前記カセットが一旦前記廃棄物室内に位置付けられると前記カセットが動くのを防ぐように、前記突出鍵部が前記カセットの下側に位置するアパーチャと咬合するよう構成される、請求項５に記載の容器。
【請求項７】
使い捨てバッグを所定の位置に固定するために、前記突出鍵部は前記使い捨てバッグの前記フレームの一部を、タブクリップの反対側から前記フレームに対して移動させるよう構成される、請求項５に記載の容器。
【請求項８】
蓋のヒンジを介して前記ハウジングに装着された上蓋をさらに備える、請求項１に記載の容器。
【請求項９】
前記上蓋は、前記ハウジングに接続されたペダルを押すと開くことができる、請求項８に記載の容器。
【請求項１０】
前記ペダルはリブを含み、前記リブの下側は、前記ペダルを完全に押し下げると床面に完全に接触して、前記上蓋が開いたときに前記ハウジングに構造的な安定を提供する、請求項９に記載の容器。
【請求項１１】
前記上蓋は、脱臭剤を格納するための脱臭室を含む、請求項８に記載の容器。
【請求項１２】
前記回転部材を回転させるよう適合された伝動機構をさらに備える、請求項８に記載の容器。
【請求項１３】
前記伝動機構は前記上蓋を閉めることによって作動を開始する、請求項１２に記載の容器。
【請求項１４】
蓋のヒンジを介して前記ハウジングに装着される内蓋をさらに備え、前記内蓋は前記廃棄物室への接近を提供する、請求項１に記載の容器。
【請求項１５】
前記内蓋は、閉じたときに前記廃棄物室へ接近する開いたアパーチャを含む、請求項１４に記載の容器。
【請求項１６】
前記内蓋の前記開いたアパーチャは、前記廃棄物室の内部に向かう曲線縁を有し、前記曲線縁は、前記内蓋を閉めたときに前記カセットが確実に所定の箇所に位置付けられるよう、前記カセットの一部に接触する、請求項１５に記載の容器。
【請求項１７】
廃棄物が前記回転部材の中に挿入されるとき、可撓性材料の前記チューブが所定の箇所に留まるように、前記内蓋の前記曲線縁は前記カセットに十分な圧力を加える、請求項１６に記載の容器。
【請求項１８】
廃棄物処理ユニットを受け入れるよう構成された廃棄物室を有するハウジングを備えた容器であって、
前記廃棄物室は、フレームに装着された可撓性材料のバッグを受け入れるよう適合された第１の固定支持部材と、詰められた可撓性材料のチューブを中に有するカセットを確実に受け入れるよう適合された第２の固定支持部材とを備え、前記フレームは前記ハウジングに解放可能に装着され、前記ハウジングに対して回転して固定される、容器。
【請求項１９】
廃棄物処理ユニットを受け入れるよう構成された廃棄物室を有するハウジングを備える容器であって、
前記廃棄物室は、バッグのフレーム上に特に位置付けられたタブを収容し、回転して固定する凹部を有する第１の固定支持部材と、詰められた可撓性材料のチューブを中に有するカセットを、回転して固定するよう適合された基部に位置付けられた突出鍵部を有する第２の固定支持部材と、を備え、前記フレームはハウジングに回転して固定されるものである、容器。
【請求項２０】
廃棄物処理ユニットを受け入れるよう構成された廃棄物室を有するハウジングと、蓋のヒンジを介して前記ハウジングに装着された上蓋と、前記ハウジングにヒンジ式に装着された中間蓋と、を備える容器であって、
前記中間蓋は、前記廃棄物室への接近を提供し、内蓋が閉じたときに前記廃棄物室へ接近する開いたアパーチャを含んでおり、
前記廃棄物室は、フレームに装着された可撓性材料のバッグを受け入れるよう適合された第１の固定支持部材と、詰められた可撓性材料のチューブを中に有するカセットを確実に受け入れるよう適合された第２の固定支持部材とを備え、前記フレームは、前記ハウジングに解放可能に装着され、前記ハウジングに対して回転して固定されるものである、容器。
【発明の詳細な説明】
【技術分野】
【０００１】
関連出願の相互参照
[0001]本出願は、２０１４年１２月１１日に出願された米国仮特許出願第６２／０９０，５５８号の優先権を主張し、その全体が参照として本開示に組み込まれる。
【０００２】
[0002]本開示は廃棄物処理およびシステムに関する。より詳細には、弾性体の可撓性チューブを内部に詰めた使い捨てバッグおよび／またはカセットを含む、様々なバッグアセンブリとともに使用するよう構成された円筒容器アセンブリなど、多構成の容器システムに関する。
【発明の概要】
【０００３】
[0003]本開示の様々な例示的な実施形態が、以下の図面を参照して詳細に説明される。同じ参照番号は、同一もしくは同様の構成要素、またはステップを指す。
【図面の簡単な説明】
【０００４】
【図１Ａ】[0004]本開示による円筒容器アセンブリの上部斜視図。
【図１Ｂ】本開示による円筒容器アセンブリの詳細斜視図。
【図２】[0005]内蓋が閉じられた、円筒容器アセンブリの上部斜視図。
【図３】[0006]蓋が閉じられた、円筒容器アセンブリの上部斜視図。
【図４】[0007]円筒容器アセンブリの断面図。
【図５】[0008]蓋のための蓋係止機構の断面図。
【図６】[0009]円筒容器アセンブリの伝動機構を切り取った部分斜視図。
【図７】[0010]円筒容器アセンブリの伝動機構を切り取った別の部分斜視図。
【図８】[0011]円筒容器アセンブリの伝動機構を切り取った部分断面図。
【図９】[0012]円筒容器アセンブリ内で使用される可撓性バッグの断面図。
【図１０】[0013]円筒容器アセンブリ内で使用されるカセットの断面図。
【図１１】[0014]円筒容器アセンブリ内の、第１および第２の支持構造ならびに伝動アセンブリの拡大断面図。
【図１２Ａ】[0015]円筒容器アセンブリ内の、第１および第２の支持構造の拡大断面図。
【図１２Ｂ】円筒容器アセンブリ内の、第１および第２の支持構造の詳細図。
【図１３】[0016]円筒容器アセンブリの第１の支持構造で使用される、可撓性バッグの上部斜視図。
【図１４】[0017]円筒容器アセンブリ内で使用される、可撓性バッグのフレーム構造の上面図。
【図１５】[0018]内部蓋がハウジングを覆って配設されている、円筒容器アセンブリの上部斜視図。
【図１６】[0019]例示的なカセットの上部を示す図。
【図１７】例示的なカセットの底部を示す図。
【図１８】例示的なカセットの断面を示す図。
【図１９Ａ】[0020]円筒容器アセンブリの第２の支持構造内で使用されるカセットの断面図。
【図１９Ｂ】円筒容器アセンブリの第２の支持構造内で使用されるカセットの詳細図。
【図２０】[0021]円筒容器アセンブリの第２の支持構造内に位置付けられたカセットの上部斜視図。
【図２１】[0022]円筒容器アセンブリの第２の支持構造内に位置付けられたカセット、および円筒容器アセンブリの内蓋の上部斜視図。
【図２２】[0023]円筒容器アセンブリの第２の支持構造内に位置付けられたカセットの拡大断面図。
【図２３】[0024]円筒容器アセンブリの正面図。
【図２４】[0025]円筒容器アセンブリの背面図。
【図２５】[0026]円筒容器アセンブリの左側を示す図。
【図２６】円筒容器アセンブリの右側を示す図。
【図２７】円筒容器アセンブリの上面図。
【図２８】円筒容器アセンブリの底面図。
【図２９】[0027]カセットが配設された円筒容器アセンブリの正面断面図。
【図３０】[0028]フットペダルおよび開いた蓋を伴う円筒容器アセンブリの、正面上部斜視図。
【図３１】[0029]フットペダルを伴う円筒容器アセンブリの背面上部斜視図。
【図３２】[0030]フットペダルアセンブリを伴う円筒容器アセンブリの正面図。
【図３３】[0031]フットペダルアセンブリを伴う円筒容器アセンブリの背面図。
【図３４】[0032]円筒容器アセンブリの左側を示す図。
【図３５】円筒容器アセンブリの右側を示す図。
【図３６】円筒容器アセンブリの上面図。
【図３７】円筒容器アセンブリの底面図。
【図３８】[0033]カセットおよびフットペダルが配設された、円筒容器アセンブリの正面断面図。
【図３９】[0034]円筒容器アセンブリに配設されたフットペダルアセンブリの、下部断面図。
【図４０】[0035]円筒容器アセンブリ内のプッシュロッド接続の、上部プッシュロッドおよび下部プッシュロッドを示す図。
【図４１】円筒容器アセンブリ内のプッシュロッド接続の、上部プッシュロッドおよび下部プッシュロッドを示す図。
【図４２】円筒容器アセンブリ内のプッシュロッド接続の、上部プッシュロッドおよび下部プッシュロッドを示す図。
【図４３】円筒容器アセンブリ内のプッシュロッド接続の、上部プッシュロッドおよび下部プッシュロッドを示す図。
【図４４】[0036]円筒容器アセンブリ内の扉の係止機構を示す図。
【図４５】円筒容器アセンブリ内の扉の係止機構を示す図。
【図４６】円筒容器アセンブリ内の扉の係止機構を示す図。
【図４７】[0037]カセットおよびフットペダルが配設された、円筒容器アセンブリの背面断面図。
【図４８】カセットおよびフットペダルが配設された、円筒容器アセンブリの側面断面図。
【図４９】[0038]フットペダル機構が配設された、円筒容器アセンブリの正面断面図。
【図５０】[0039]円筒容器アセンブリの内蓋のための例示的な係止機構の正面斜視図。
【図５１】円筒容器アセンブリの内蓋のための例示的な係止機構の詳細図。
【図５２】円筒容器アセンブリの内蓋のための例示的な係止機構の詳細図。
【発明を実施するための形態】
【０００５】
[0040]次に本発明の特定の実施形態が、図面を参照してより詳細に説明される。
【０００６】
[0041]図１〜図４は、多様な可撓性バッグアセンブリを受け入れるよう適合された、おむつ円筒容器アセンブリなどの容器またはシステム１０を示す。おむつ円筒容器アセンブリまたはシステム１０は、蓋部材１４によって閉鎖されるハウジング１２を含む。図４に示されるように、廃棄物室１１３は、ハウジング内の内部収納空間１３の上部に位置付けられ、廃棄物を可撓性バッグアセンブリ１１０内に受け入れるよう構成される。
【０００７】
[0042]図１Ｂに示されるように、第１の支持構造２００および第２の支持構造３００は、使い捨てバッグであるか、または以下でより詳細に説明されるチューブのロールを有するカセットである、様々なスタイルのバッグ挿入物を収容する。第１の支持構造２００は、使い捨てバッグの外部タブを受け入れそのタブをタブクリップ１３５を使用して所定位置に固定することによって使い捨てバッグを収容するために使用される、半円形を有する凹部１３３を含む。第２の支持構造３００は、挿入可能なカセットの底部のアパーチャと咬合するような所定の距離で上方に突出する鍵型突起部６０を含む。円形底部受入れプレート３３１は、環状筒形凹部１１５の内壁に位置するタブ３３０によって位置を保持され、全てのタイプの受入れバッグアセンブリのための基礎としての働きをするように使用される。これらの例示的なバッグアセンブリのための機構は、以下でより詳細に説明される。
【０００８】
[0043]図１〜図２に示される開位置と、図３に示される閉位置との間で、親または介護者などの使用者によって蓋部材１４を動かせるように、蓋部材１４はヒンジ機構１６によってハウジング１２に接続される。
【０００９】
[0044]可撓性バッグアセンブリは様々な実施形態で実行できる。第１の実施形態において、可撓性バッグアセンブリは、図９および図１４に示され、また以下で詳細に説明するように、使い捨てバッグのような可撓性バッグのフレーム２１４として具現化され得る。第２の実施形態において、可撓性バッグアセンブリは、図１０および図１８に示され、また以下でより詳細に説明するように、カセット３１０およびチューブ３１２のような、カセット３１０内から引き出される、詰められた所定の長さの可撓性チューブ３１２として具現化され得る。
【００１０】
[0045]図４に示される廃棄物室１１３は、可撓性バッグ２１０を固定するために第１の支持構造２００を含むように構築される。廃棄物室１１３は、可撓性チューブ３１２が引き出されるカセット３１０を固定して支持するための、第２の支持構造３００を含むように、さらに構築される。廃棄物室１１３は、様々な設計のバッグアセンブリを収容するために十分に弾力性があり、バッグアセンブリは廃棄物室１１３の収容構造を収容するように設計され得る。
【００１１】
[0046]第１の支持構造２００は、図１４に示されるように、フレーム１２０に装着された可撓性材料２１２の使い捨てバッグ２１０として構築された可撓性バッグアセンブリを受け入れるよう構成される。フレーム１２０は、ハウジング１２内で第１の支持構造２００に着脱可能に取り付けられ得る。所定の位置において、第１の支持構造２００は、ハウジング１２の内部で可撓性バッグ２１０のフレーム１２０が回転するのを防ぐように構築され得る。使い捨てバッグは、その全体が参照として本開示に組み込まれる米国特許第８，８３３，５９２号の図２１のように、さらに詳細に説明されている。簡潔にするため、使い捨てバッグの物理的性質について、ここでは繰り返さない。
【００１２】
[0047]図１２Ａおよび図１２Ｂに示されるように、使い捨てバッグ２１０を本システムに関係させる場合、使い捨てバッグのフレームの外縁１２０は、廃棄物室１１３の環状リングの周りに位置付けられるタブクリップ１３５の下に押し込まれる。タブクリップ１３５内のアセンブリ２１０の位置付けを示すべく簡略化するため、図１２Ｂでは、構造および使い捨てバッグアセンブリ２１０のバッグのさらなる詳細は示さずに、使い捨てバッグアセンブリ２１０の外縁１２０のみが示される。鍵型突起部６０の上部がバッグアセンブリ２１０の台座として働くように、主に第２の支持構造３００に使用される鍵型突起部６０は、使い捨てバッグ１３０の外縁１２０を持ち上げる働きをする。フレーム１２０は、タブクリップ１３５の下に形成された凹部の間に固定される。この位置付けは、使い捨てバッグアセンブリ２１０を廃棄物室１１３内でさらにしっかりと固定し、さらなる廃棄物がバッグアセンブリに捨てられても常に、バッグアセンブリ２１０が確実に所定の位置にしっかり留まるようにする。
【００１３】
[0048]第２の支持構造３００は、図１０に示されるように、詰められた所定の長さの可撓チューブ３１２を含んだカセット３１０を受け入れるように構成される。図１０および図１８に示されるように、可撓チューブ３１２は使用の際に、カセット３１０内から引き出され、カセット３１０から送り出され、廃棄物室１１３を介して収納空間１３に入る。バッグの下端部を閉じた封入体を構築するために、可撓性チューブ３１２の下端部に結び目（図示せず）を作り得る。
【００１４】
[0049]図１〜図２に示されるように、廃棄物室１１３の上で開閉する内蓋１１４が、蓋１４とハウジング１２との間に提供される。蓋部材１４をハウジング１２に固定するために、内蓋１１４はヒンジ機構１６も利用できる。カセット３１０の可撓性チューブ３１２がカセット３１０内から外側へ引き出されるのを防ぐため、および、廃棄物が廃棄物室１１３内の可撓性チューブ３１２内に押し込まれた場合にさらなるチューブ３１２が供給されるのを防ぐために、内蓋１１４は提供される。
【００１５】
[0050]図１０、図１９Ａおよび図１９Ｂに示されるように、カセット３１０の底部の内部アパーチャ１３３が鍵型突起部６０を受け入れて、廃棄物室１１３内の所定の位置でカセット３１０を実質的にロックするように、第２の支持構造３００はカセット３１０を収容する。さらに、内蓋１１４が閉じられると、内蓋の内部の下向きの突起１６９は、対応するカセット３１０の内部の上部１７９が下向きの突起１６９の下向きの力を受けるような程度まで、カセット３１０を押し込んで所定の位置に実質的にロックする。そして、カセットを所定の位置に固定し、さらなる廃棄物が容器の中に破棄される度に、チューブ３１２が下方に動くのを防ぐのに十分な力で、チューブ３１２を押し込む。内蓋１１４を解放すると、チューブ３１２は必要に応じて引き抜かれ、切断されて縛られ、使用済みのチューブを破棄することができる。次にチューブ３１２は、さらに引き下げられ結び目を作り、次のバッグ３１２となる。
【００１６】
[0051]図２に示されるように、おむつ円筒容器アセンブリ１０の蓋１４に臭気改善挿入物４０が装着される。臭気改善挿入物４０は、おむつ円筒容器アセンブリ１０のハウジング１２内から発する腐敗臭を低減または排除するために使用される。
【００１７】
[0052]図１に示されるように、回転封止および把持機構５４が廃棄物室１１３に提供される。回転封止および把持機構５４は、可撓性バッグがその中の通路を通過できる弾性体の開口を、可撓性材料の中に有する。
【００１８】
[0053]伝動機構５６が、回転封止および把持機構５４を回転させるために提供、適合される。使用の際、回転封止および把持機構５４は伝動機構５６によって回転され、それによって回転封止および把持機構５４は、閉じられた可撓性バッグの通路を封止するために可撓性材料の一部を捩る。以降の実施形態で示されるように、蓋１４を開閉するため、および／または、回転部材を回転させるよう伝動機構５６に係合させるため、フットペダルが構成、適合されてよい。
【００１９】
[0054]図４に示されるように、ハウジング１２は、使用中の様々な廃棄物パッケージが置かれ収納される内部収納空間１３を画定する。ハウジング１２は、扉１８を開けることによって、親または介護者によって接近され得る。扉１８は、ハウジング１２に対してヒンジ１８Ａにおいてヒンジ式に取り付けられる。
【００２０】
[0055]おむつ円筒容器アセンブリ１０は、床またはカーペットのような基礎となる水平面上のハウジング１２を支持するために構築、配置された基礎部２０を含む。基礎部２０はハウジング１２の底部を取り囲み、内部収納空間１３の底面を提供する。
【００２１】
[0056]基礎部２０は、ハウジング１２の内部収納空間１３内のおむつ円筒容器バッグを整合および芯合わせのための構造４４を含む。整合および芯合わせのための構造４４は、中央の実質的な平坦部４８および実質的な平坦部４８を囲繞する環状曲線部５０を含む、内部収納空間１３の最下部区域を画定する底面４６を含む。
【００２２】
[0057]扉係止機構は、消費者が扉１８を開閉できるよう、扉１８に提供され得る。図１Ａに示されるように、扉係止機構は閉位置にある扉１８を選択的にロックする。
【００２３】
[0058]図５は、蓋１４に統合された蓋係止機構２４を示す。蓋係止機構２４は、蓋部材１４に可動に取り付けられた横方向に拡張可能な係止部材２６と、ハウジング１２内で画定される咬合凹部２８とを含む。ボタンまたは作動面３０は、蓋部材１４に対して実質的に垂直に上下に動けるように、ヒンジ機構１６に対向した蓋部材１４の側に可動に取り付けられる。はめ込まれたプランジャ部材３２は、作動面３０の下側と一体になり、作動面３０が消費者によって押し下げられたときに、枢動可能に取り付けられた、横方向に拡張可能な係止部材３４、３６の対向する対の外側カム面２５に対してカムを取り付けるよう配置される。係止部材３４、３６は、図５に示された開位置に向かって内部ばねによって付勢される。蓋係止機構２４は、その全体が参照として本開示に組み込まれる米国特許第８，８３３，５９２号（以降、「５９２特許」という。）の図４のように、さらに詳細に説明されている。簡潔にするため、蓋係止機構の物理的性質について、ここでは繰り返さない。
【００２４】
[0059]図２に示されるように、臭気改善挿入物４０は、蓋部材１４の下側に提供される。臭気改善挿入物４０またはパウダー供給アセンブリが組み入れられ得る。例示的なパウダー供給アセンブリは、その全体が本明細書で説明されるように、参照として本開示に組み込まれる、２００９年１０月３０日に出願された米国特許出願公開第１２／６０９，１３６号に記載の動作方法を組み込むことができる。
【００２５】
[0060]おむつ円筒容器バッグを設置するため、または使用済みの使い捨ておむつなどの悪臭のある廃棄物パッケージを捨てるため、使用者がおむつ円筒容器アセンブリ１０の蓋部材１４を開けようと欲するとき、使用者は（「５９２特許」に示されるように）作動ボタン３０を押し下げてよく、それによってプランジャ３２を下方に駆動されて、プランジャ３２をそれぞれの係止部材３４、３６の外側カム面２５に接触させる。これによって、係止部材３４、３６を凹部２８から係合解除して、蓋部材１４を上方に持ち上げることが可能になる。
【００２６】
[0061]図１Ａに示されるように、蓋部材１４の持上げ面に持ち上げる圧力を加えることができる空間を消費者に与えるために、切取り部３１または凹部は、ヒンジ機構１６に対向する側のハウジング１２上に画定されるのが好ましい。これによって使用者は、蓋係止機構２４が係合解除された後に、蓋部材１４を容易に持ち上げることができる。
【００２７】
[0062]図１〜図２は、ヒンジ機構１６の周りを枢動する内蓋１１４を示す。図１は開位置の内蓋１１４を、図２は閉位置の内蓋１１４を示す。閉位置において、内蓋１１４は、可撓性チューブが延びてハウジング１２内の内部収納空間１３に入らないように、可撓性チューブを固定するよう適合される。これは、内蓋１１４を可撓性おむつ円筒容器バッグ１１２のチューブ上に押し込むことによって、および、他の箇所で説明したように、使用者が廃棄物を可撓性おむつ円筒容器バッグ１１２に押し込むときに、カセット内から可撓性チューブが引き出されるのを内蓋１１４が防ぐことによって行われる。
【００２８】
[0063]回転封止および把持部材５４は、おむつ円筒容器アセンブリ１０に提供される。回転封止および把持部材５４は、仮の臭気封止を提供するために、可撓性おむつ円筒容器バッグ１１２内に制限部分を作るよう構築、配置される。以下でより詳細に説明されるように、これは、仮の封止を提供するために可撓性おむつ円筒容器バッグ１１２を握る、および捩ることによって実現される。代替で、可撓性おむつ円筒容器バッグ１１２の制限部分は、可撓性バッグ１１２の一部を、捩る代わりに挟む、または折り込むことによって作られ得る。
【００２９】
[0064]蓋部材１４が、図１に示される開位置から図３に示される閉位置に動かされるとき、伝動機構５６は、回転封止部材５４を所定の回転距離だけ回転させるために提供される。図１〜図２、および図５〜図７で確認できるように、伝動機構５６は、蓋部材１４が閉じられるときに直線的に下方へ摺動するよう、および、蓋部材１４が開けられるときに直線的に上方へ摺動するように強制されるプッシュロッド部材５８を含む。蓋部材１４が閉位置から開位置へ、上方に枢動されるときに、回転封止部材５４のいかなる動きも起こらないように、伝動機構５６は設計される。
【００３０】
[0065]図６に示されるように、伝動機構５６のプッシュロッド部材５８は歯付ラック部６０を含む。内部ハウジングフレーム７０にはめ込まれたチャネルによって、プッシュロッド部材５８はハウジング１２に対して垂直に移動できる。内部ハウジングフレーム７０に対して限られた量の垂直移動が可能となるような方法で、ラック係合歯車５９は内部ハウジングフレーム７０に対して回転するよう取り付けられる。ラック係合歯車５９が最下位の垂直位置にあるとき、ラック係合歯車５９は、対応する歯付ラック部６０の歯と動作可能に係合する歯を有する。伝動機構５６は、その全体が参照として本開示に組み込まれる「５９２特許」の図１２のように、さらに詳細に説明されている。簡潔にするため、伝動機構の物理的性質について、ここでは繰り返さない。しかし、このような機構は、封止部材５４の移動のために本明細書で使用される。
【００３１】
[0066]図９に示されるように、蓋部材１４が使用者によって、図１に示される開位置から図３に示される閉位置に下方に枢動されるとき、プッシュロッド部材５８は下方に駆動される。回転可能な可撓性バッグの保持および封止部材５４は、所定の角距離を回転するように歯車列機構６１によって駆動され、それによって、可撓性バッグ１１０の、下部または底部１１６と上部１１４との間にある中間部１１５において捩り部１２１を作る。これは、第１の支持構造２００における可撓性バッグ２１２との使用、または第２の支持構造３００に提供されたカセット３１０から引き出された可撓性チューブ３１２との使用として、図９および図１０に図解によって示される。
【００３２】
[0067]図６、図１１、および図１２は、回転封止および把持部材５４と、伝動機構５６と、歯車列機構６１との間の相互接続を示す。歯車列機構６１は、プッシュロッド部材５８が下方に移動するときに動作可能に相互接続される。なぜなら、ラック係合歯車５９は最下位の垂直位置にあり、第２の複合歯車６２と動作可能に係合されるからである。しかし、蓋部材１４が閉位置から開位置へ上方に枢動されるとき、ラック係合歯車５９は上方に持ち上げられて第２の複合歯車６２との係合から外れる。したがって、蓋部材１４が開くとき、歯車列機構６１は係合解除されて可撓性バッグの保持および封止部材５４は回転しない。これによって、捩られた可撓性バッグ１１２は閉じられたままでいることを可能にする。
【００３３】
[0068]歯車列機構が動かなくなった場合のために、クラッチ機構が提供される。歯車列機構内の内力は、クラッチ機構が、第２の複合歯車の第１の歯車部と第２の歯車部との間で、相対的な量で相対的に移動することを可能にする。クラッチ機構は、第２の複合歯車と内部ハウジングフレームとの間で動作可能に挿置されるばね部材によって互いに付勢される、２つの相互摺動可能な構成要素を含むことができる。
【００３４】
[0069]おむつ円筒容器アセンブリ１０は、様々な可撓性バッグアセンブリ２１０、３１０などがその内部で使用され得るという点で、多用途である。つまり、少なくとも本明細書で示される使い捨て可撓性バッグ２１２は、図９に示されるように第１の支持構造２００と組み合わされて使用され得る。代替で、所定の長さの可撓性チューブ３１２を含むカセット３１０は、図１０に示されるような第２の支持構造３００と組み合わされて使用され得る。
【００３５】
[0070]図１、図９、および図１３〜図１４に示されるように、第１の支持構造２００は廃棄物室１１３内に構築される。廃棄物室１１３内では、可撓性バッグ２１２またはカセット３１０が配設され得る内部ハウジングを画定するために、円筒形の凹部１１５がハウジング１２内に提供される。円筒形凹部１１５は、可撓性バッグ２１０のフレーム２１４の径方向の外に向けて延在する突起部１３２、１３４、１３６、１３８が位置合わせされて使用中に固定され得る、複数の凹部１３３を含む。フレーム２１４の、外に向けて延在する突起部１３２、１３４、１３６、１３８は、図１４に示される。ハウジング１２内の複数の凹部１３３は、バッグのフレーム２１４がハウジング１２内の円筒形凹部１１５に対する回転に対して固定されるような方法で、それぞれの突起部１３２、１３４、１３６、１３８を受け入れる。図９に示されるように、突起部１３２、１３４、１３６、１３８がそれぞれの凹部１３３に受け入れられるとき、バッグのフレーム２１４はしっかりと配向され、水平位置にしっかりと整合させる。
【００３６】
[0071]第１の支持構造２００は、円筒形凹部１１５の下端に位置付けられ、それぞれの凹部１３３内にそれぞれの突起部１３２、１３４、１３６、１３８が解放可能にロックする、それぞれの凹部１３３内の保持突起部１３５を含む。保持突起部１３５はかなり堅いプラスチック材料から加工されてよく、おむつ円筒容器アセンブリ１０のハウジング１２と一体化される。
【００３７】
[0072]可撓性バッグ２１０のバッグのフレーム２１４は、使用の際に、使用者がバッグのフレーム２１４を固定位置に、および固定位置から操作できるように、十分な可撓性がある。バッグのフレーム２１４の突起部１３２、１３４、１３６、１３８の各々は、それぞれの保持突起部１３５の下に位置付けられ、所定の箇所に固定される。図９に示されるように、可撓性バッグ２１０の可撓性材料２１２は、その容積の大部分が室１２内の内部収納空間１３に配設されるように、回転封止および把持機構５４を通して押し込まれる。図１５に示されるように、内蓋１１４は廃棄物室１１３を覆って閉じられ、破棄物は可撓性バッグ２１０の可撓性材料２１２で形成された捩り部１２０を通して押し込まれ得る。
【００３８】
[0073]第２の支持構造３００もまた、廃棄物室１１３内の円筒形凹部１１５によって画定される。円筒形凹部１１５の壁は、図１０に示されるように、カセット３１０の外側境界を画定する。図１０および図１８に示されるように、使用の際、可撓性チューブ３１２はカセット３１０内から引き出され、カセット３１０から送り出され、回転封止および把持機構５４を通される。容器を形成するため可撓性チューブ３１２の下端を封止して、バッグの下端部を閉じた封入体を構築するために、可撓性チューブ３１２の下端に結び目を作ることができる。
【００３９】
[0074]おむつ円筒容器アセンブリ１０で使用され得る例示的なカセット３１０について、上部および底部斜視図が図１６〜図１７で示され、側面断面図が図１８で示される。畳まれたチューブを供給するカセットは、その全体が本明細書で説明されるように、参照として本開示に組み込まれる、２０１４年１１月１２日に出願された同時係属中の米国特許出願公開第６２／０７８，９１５号、または２０１４年１１月２８日に出願された同時係属中の米国特許出願公開第１３／６８８，１３９号に記載されたように提供され得る。
【００４０】
[0075]図１８に示されるように畳まれた可撓性チューブ３１２が受け入れられるカセット３１０の、上部斜視図および下部斜視図を、図１６〜図１８に示す。複数のアパーチャ１３３がカセット３１０の下端に放射構成で配設される。示されるように、アパーチャ１３３は、底板壁２３に配設された第１の端部１３３Ａから、角度の付いた壁２２と内壁２１との交差部に隣接して内側に延在する第２の端部１３３Ｂまでの長さで、細長く、放射状に内側に延在し得る。アパーチャ１３３は、角度の付いた壁２２および底板壁２３を切り込む、放射パターンで同心円状に配設され得る。
【００４１】
[0076]アパーチャ１３３は様々な利点を提供する。まず、詰められた可撓性チューブ３１２の気密パッキンを、カセット３１０のＵ型下部環状体に設置する間に、様々なアパーチャ１３３は、詰められたチューブの下に閉じ込められた空気がアパーチャ１３３を介して下部環状体から排出することを可能にする通気孔の働きをする。
【００４２】
[0077]代替で、アパーチャ１３３の別の大きい利点は、カセット３１０の回転を制御できることである。たとえば、図１Ｂおよび図１９Ｂは、咬合鍵部６０がその中に整合、配設され得る鍵穴として機能するアパーチャ１３３を示す。鍵部６０はハウジング１２の一部に装着される。示されるように、ハウジング１２に装着される支持構造の横方向に延在する部分は、アパーチャ１３３の少なくとも１つと咬合する、上方に突出した鍵部６０を含む。第２の支持構造３００内の位置において、アパーチャ１３３の１つの中に位置付けられた鍵部６０は、カセット３１０が使用中に回転するのを防ぐ。鍵部６０は、アパーチャ１３３の少なくとも１つと咬合するように整合させるよう構築される。鍵部６０はアパーチャ１３３の任意の部分に係合でき、カセット３１０を回転させ、またはカセット３１０の移動を拘束することによって、カセット３１０が回転するのを防ぐ。
【００４３】
[0078]使用に際し、カセット３１０は図２０に示されるように、ハウジング１２の円筒形凹部１１５内に位置付けられる。所定の位置において、突出した鍵部６０は少なくとも１つのアパーチャ１３３と整合され、その中に挿入される。内蓋１１４はカセット３１０を覆う位置にロックされ、可撓性チューブ３１２は図２１に示される所定の位置に固定される。
【００４４】
[0079]図２２は内蓋１１４と、カセット３１０と、カセット３１０内から引き出された可撓性チューブ３１２との間の相互接続を詳細に示す。内蓋１１４がカセット３１０を覆ってロックされ、可撓性チューブ３１２も所定の位置に固定されるとき、内蓋１１４の内側曲線部１１６が環状カバー３４０の外面に対して付勢される接触部における所定の位置に可撓性チューブ３１２を保持するために、わずかな圧縮力が可撓性チューブ３１２に作用する。この方法において、使用者が廃棄物を可撓性チューブ３１２の開口部３５０を通して押し込むとき、廃棄物を可撓性チューブ３１２の開口部３５０に押し込む下方の圧力は、内蓋１１４の内側曲線部１６９と、環状カバー３４０の外面３４２との間の可撓性チューブ３１２にかかる圧縮把持力を上回らず、そのため、内蓋１１４が閉じられている間に、さらなるチューブ３１２がカセット３１０から引き出されるのを防ぐ。
【００４５】
[0080]おむつ円筒容器アセンブリ１０は、様々な異なる形状および／またはサイズで構築され得る。図２３〜図２９は、おむつ円筒容器アセンブリ１０の１つの例示的な実施形態の、正面図、背面図、右側面図、左側面図、上面図、底面図、および断面図である。代替の構築において、おむつ円筒容器アセンブリ１０はフットペダル機構４００を伴って具現化され得る。図３０〜図３８は、フットペダル機構４００を含む、おむつ円筒容器アセンブリ１０の別の例示的な実施形態の、斜視図、正面図、背面図、右側面図、左側面図、上面図、底面図、および断面図を示す。
【００４６】
[0081]フットペダル機構４００は、図３９に示されるようにおむつ円筒容器アセンブリ１０に使用され得る。フットペダル機構４００は、その全体が本明細書で説明されるように、参照として本開示に組み込まれる、米国特許第２，９１０，２０６号（期限切れ）に示されるようなフットペダル機構の下端の基本構造を利用できる。
【００４７】
[0082]図３９に示されるように、ペダルバー４１２は、フットペダル機構４００の第１の端部に配設されたフットペダル４１４が押し下げられるときにペダルバー４１２をシーソー運動で枢動する、中間点の支点４１８を有する。プッシュロッド接続機構４０５は、第１の垂直バー４１６と第２の垂直バー５８との、確実な咬合接続を含む。プッシュロッド接続機構４０５はフットペダルバー４１２の第２の端部に装着され、フットペダル機構４００の第１の端部が下げられると、上方へ並進する。第１の垂直バー４１６の上方への動きは、第２の垂直バー５８への確実な咬合接続によって結び付けられる。第２の垂直バー５８の上端は蓋１４に係合し、フットペダル４１４が押し下げられると、蓋１４が開く。
【００４８】
[0083]図３８〜図４３は、第１の垂直バー４１６と第２の垂直バー５８との間のプッシュロッド接続４０５の様々な画を示す。第１の垂直バー４１６の下部は、押下げ可能な突起部４１４と連通する。第１の垂直バー４１６の下部の周端は、テーパー端部４２２を有する。
【００４９】
[0084]第２の垂直バー５８は、第１の垂直バー４１６のテーパー端部４２２を受け入れるよう適合された下部開口端部４３０を含む。第２の垂直バー５８は、図４１に示されるように突起部４２０が摺動して入る開口部４３２を含む。
【００５０】
[0085]図４０〜図４３に示される実施形態は、本体部１２および基礎部２０が別々に製造され、分離したまま搬送されることを可能にする。それらは図４０〜図４３に示されるシートベルトロック機構を使用して、容易に接続され得る。５８と４１６との接続を係合解除するために開口部４３２から突起部４２０を押し下げることによって簡単に分離でき、それによって、本体部１２を基礎部２０から切り離す。
【００５１】
[0086]図１〜図２、および図４４〜図４６は、例示的な扉係止機構４４０のためのボタン４４２を示す。ボタン４４２が押し下げられると扉係止機構４４０は係合され、ハウジング１２の扉１８は、ハウジング１２の内部収納空間１３に接近するために解放され得る。
【００５２】
[0087]図４４〜図４６に示されるように、扉係止機構４４０は、ガイド４４５に沿って並進する、ボタン４４２に接続された垂直ポスト４４４を含む。垂直ポスト４４４は、ハウジング１２の扉１８に配設された雌側ロック開口部４５０に取り外し可能に係止することができる、少なくとも１つの雄側係止４４６を含む。使用に際し、係止４４６がキャッチ４５０をクリアできるように、垂直ポスト４４４はボタン４４２を押し下げたときに所定の距離だけ下方に向かって移動する。ボタン４４２が押されるまで、ばね４４１はガイド４４５を上方向きの位置に留め、それによって、扉１８から扉係止機構４４０を解放する。
【００５３】
[0088]図４７〜図４８に示されるように、単独の垂直フットペダルアーム１１１は、図４０〜図４３に示される機構の代わりに使用され得る。この実施形態において、フットペダル部４１４を押し下げることによって、ばね４１９の下方に向かう力に対抗するよう作用して、フットペダルアーム１１１をガイド１１によって決定した制限された距離を垂直方向に押し、蓋１４を開けるために伝動機構５６の回転に変換する。
【００５４】
[0089]図３７、図３９、および図４８に示すように、フットペダル４１４はその下に盛り上がったリブ６１１を有し、フットペダル４１４の下方の動きを確実に制限するためのハードストップとしての働きをする。フットペダル４１４の下のリブの大きさは、蓋をひっくり返して容器１２を倒しかねない程度までには大きくせず、蓋１４を開けられるだけの大きさとする。盛り上がったリブが堅い面に接触するように、またはカーペットのような柔らかい面に沈み込むように、フットペダル４１４を下方に限度一杯押すとき、盛り上がったリブは床に対して安定した均一の表面を提供する働きもする。この特徴により、容器１２を倒すことなく蓋１４を開けるよう作動させることを可能にする。
【００５５】
[0090]図４９〜図５２に示されるように、係止ボタン７０１を押し下げると、内蓋１１４は、その下方のロック位置から解放され得る。係止ボタン７０１を押すことで、その装着されたキャッチ機構７０２を、内蓋１１４の受入れ係止フック７０３から係合解除する。さらに、内蓋１１４は、使用者が内蓋１１４を開ける必要なく、扉１８を解放するボタン４４２に接近できるよう設計された、ボタンを収容するオリフィス７０４を含む。
【００５６】
[0091]本明細書で提供した図および例は説明が目的であって、添付の特許請求の範囲を制限することを意図しない。本発明の広い進歩性の概念から逸脱することなく、上述の実施形態に変更または修正を行い得ることを、当業者は理解するであろう。したがって、本発明は説明された特定の実施形態に限定されず、本発明の範囲と趣旨内の全ての修正および変更を含むよう意図されることを、理解されたい。
【図１Ａ】
2018504334.tif 000003
【図１Ｂ】
2018504334.tif 000004
【図２】
2018504334.tif 000005
【図３】
2018504334.tif 000006
【図４】
2018504334.tif 000007
【図５】
2018504334.tif 000008
【図６】
2018504334.tif 000009
【図７】
2018504334.tif 000010
【図８】
2018504334.tif 000011
【図９】
2018504334.tif 000012
【図１０】
2018504334.tif 000013
【図１１】
2018504334.tif 000014
【図１２Ａ】
2018504334.tif 000015
【図１２Ｂ】
2018504334.tif 000016
【図１３】
2018504334.tif 000017
【図１４】
2018504334.tif 000018
【図１５】
2018504334.tif 000019
【図１６】
2018504334.tif 000020
【図１７】
2018504334.tif 000021
【図１８】
2018504334.tif 000022
【図１９Ａ】
2018504334.tif 000023
【図１９Ｂ】
2018504334.tif 000024
【図２０】
2018504334.tif 000025
【図２１】
2018504334.tif 000026
【図２２】
2018504334.tif 000027
【図２３】
2018504334.tif 000028
【図２４】
2018504334.tif 000029
【図２５】
2018504334.tif 000030
【図２６】
2018504334.tif 000031
【図２７】
2018504334.tif 000032
【図２８】
2018504334.tif 000033
【図２９】
2018504334.tif 000034
【図３０】
2018504334.tif 000035
【図３１】
2018504334.tif 000036
【図３２】
2018504334.tif 000037
【図３３】
2018504334.tif 000038
【図３４】
2018504334.tif 000039
【図３５】
2018504334.tif 000040
【図３６】
2018504334.tif 000041
【図３７】
2018504334.tif 000042
【図３８】
2018504334.tif 000043
【図３９】
2018504334.tif 000044
【図４０】
2018504334.tif 000045
【図４１】
2018504334.tif 000046
【図４２】
2018504334.tif 000047
【図４３】
2018504334.tif 000048
【図４４】
2018504334.tif 000049
【図４５】
2018504334.tif 000050
【図４６】
2018504334.tif 000051
【図４７】
2018504334.tif 000052
【図４８】
2018504334.tif 000053
【図４９】
2018504334.tif 000054
【図５０】
2018504334.tif 000055
【図５１】
2018504334.tif 000056
【図５２】
2018504334.tif 000057
【国際調査報告】
2018504334.tif 000058
2018504334.tif 000059
2018504334.tif 000060
2018504334.tif 000061